【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
遊技媒体を上方から下方へ導く流下通路内に外周を臨ませて遊転可能に軸支され、その外周に遊技媒体を一個ずつ受け入れる複数の媒体受部を備えてなるスプロケットと、
前記スプロケットに直接又は間接的に係合して回転不能状態とする制動位置と、係合解除されてスプロケットを回転可能状態とする解放位置とに変換される可動係合片と、
可動係合片と非連結となっており、その駆動により可動係合片を、制動位置と解放位置の何れかに変換し、かつ次の変換駆動まで非駆動状態で待機する駆動制御装置とを備え、
さらに該駆動制御装置は、駆動により駆動源が具備する開放作動杆が可動係合片を解放位置に移動させ、駆動解除により該開放作動杆が待機位置に復帰する解放駆動装置と、駆動により駆動源が具備する制動作動杆が可動係合片を制動位置に移動させ、駆動解除により該制動作動杆が待機位置に復帰する制動駆動装置とによって構成されていることを特徴とする遊技機の遊技媒体供出装置。
【請求項２】
スプロケットの各媒体受部間に夫々係止突起を外方突成する一方、可動係合片に、前記係止突起に係脱可能に係合する鉤状部を形成したことを特徴とする請求項１記載の遊技機の遊技媒体供出装置。
【請求項３】
可動係合片が、支軸により揺動可能に軸支され、該支軸の上部に鉤状部を備えるとともに、支軸の下部に重錘部を備えてなり、該重錘部の重量によって解放位置に自動復帰するものであることを特徴とする請求項１又は請求項２に記載の遊技機の遊技媒体供出装置。
【請求項４】
駆動制御装置の駆動源を、ソレノイドによって構成したことを特徴とする請求項１乃至請求項３の何れかに記載の遊技機の遊技媒体供出装置。
【請求項５】
スプロケットを、流下通路の、緩やかな傾斜から略垂直な傾斜に変換する箇所に配設したことを特徴とする請求項１乃至請求項４の何れかに記載の遊技機の遊技媒体供出装置。
【請求項６】
可動係合片を解放位置から制動位置へ変換する駆動制御装置の制動駆動時間を、可動係合片を制動位置から解放位置へ変換する開放駆動時間より長くなるように設定したことを特徴とする請求項１乃至請求項５の何れかに記載の遊技機の遊技媒体供出装置。
【請求項７】
駆動制御装置が、所定の遊技態様の成立を検出する入賞検出装置の検出に基づき、制動位置にある可動係合片を解放位置に変換するものであることを特徴とする請求項１乃至請求項６の何れかに記載の遊技機の遊技媒体供出装置。
【請求項８】
駆動制御装置が、遊技者による所定の操作を検出する遊技媒体貸出検出装置の検出に基づき、制動位置にある可動係合片を解放位置に変換するものであることを特徴とする請求項１乃至請求項７の何れかに記載の遊技機の遊技媒体供出装置。
【請求項９】
駆動制御装置が、停電等の電源供給異常状態となった場合に、解放位置にある可動係合片を制動位置に変換するものであることを特徴とする請求項１乃至請求項８の何れかに記載の遊技機の遊技媒体供出装置。
【請求項１０】
駆動制御装置が、停電等の電源供給異常状態となった場合に、予備電源によって駆動して、解放位置にある可動係合片を制動位置に変換するものであることを特徴とする請求項９記載の遊技機の遊技媒体供出装置。
【請求項１１】
駆動制御装置が、スプロケットの回転可能状態に伴って排出される遊技媒体を検出する供出検知装置により、所定個数の供出検知に基づき、解放位置にある可動係合片を制動位置に変換するものであることを特徴とする請求項１乃至請求項１０の何れかに記載の遊技機の遊技媒体供出装置。
【請求項１２】
組み付け板に、流下通路の一部と、供出検知装置と共に一体的に組み付けられていることを特徴とする請求項１１に記載の遊技機の遊技媒体供出装置。
【手続補正２】
【補正対象書類名】明細書
【補正対象項目名】０００６
【補正方法】変更
【補正の内容】
【０００６】
【課題を解決するための手段】
本発明は、遊技媒体を上方から下方へ導く流下通路内に外周を臨ませて遊転可能に軸支され、その外周に遊技媒体を一個ずつ受け入れる複数の媒体受部を備えてなるスプロケットと、該スプロケットに直接又は間接的に係合して回転不能状態とする制動位置と、係合解除されてスプロケットを回転可能状態とする解放位置とに変換される可動係合片と、その駆動により可動係合片を、制動位置と解放位置の何れかに変換し、かつ次の変換駆動まで非駆動状態で待機する駆動制御装置とを備えたことを特徴とする遊技機の遊技媒体供出装置である（請求項１）。
また、可動係合片を制動位置と解放位置の何れかに変換し、かつ駆動制御装置を次の変換駆動まで非駆動状態で待機させるようにするために、駆動制御装置は、前記可動係合片と非連結となっている構成としている。また、駆動制御装置を、駆動により駆動源が具備する開放作動杆が可動係合片を解放位置に移動させ、駆動解除により該開放作動杆が待機位置に復帰する解放駆動装置と、駆動により駆動源が具備する制動作動杆が可動係合片を制動位置に移動させ、駆動解除により該制動作動杆が待機位置に復帰する制動駆動装置とによって構成し、これにより可動係合片の変換移動を、二つの駆動装置を用いて行なうようにしている。
【手続補正３】
【補正対象書類名】明細書
【補正対象項目名】００１１
【補正方法】変更
【補正の内容】
【００１１】
さらには、該駆動制御装置の駆動源を、ソレノイドによって構成し、そのプランジャからなる作動杆の直線運動を可動係合片の移動力に変換するようにした構成（請求項４）が提案される。この場合には、二つのソレノイドの作動杆を上述した可動係合片の鉤状部と重錘部とに夫々連係させる。
【手続補正４】
【補正対象書類名】明細書
【補正対象項目名】００１２
【補正方法】変更
【補正の内容】
【００１２】
ここで、スプロケットを、流下通路が緩やかな傾斜から略垂直な傾斜に変換する箇所に設けた場合（請求項５）には、スプロケットの上流の流下通路に連なった遊技媒体の流下圧力を軽減させることができ、可動係合片の係合解除時におけるスプロケットの回転応力が減少し、円滑な作動が可能となる。
【手続補正５】
【補正対象書類名】明細書
【補正対象項目名】００１３
【補正方法】変更
【補正の内容】
【００１３】
また、可動係合片を解放位置から制動位置へ変換する駆動制御装置の制動駆動時間を、可動係合片を制動位置から解放位置へ変換する開放駆動時間より長くなるように設定する（請求項６）ようにしてもよい。即ち、開放駆動時には、スプロケットが回転停止状態にあるから、開放駆動時間を短くしても、可動係合片の係合解除が円滑に行われる。一方、可動係合片の係合解除によってスプロケットが回転可能となり、遊技媒体が連続的に流下するのに伴ってスプロケットが高速で回転している状態にあって、可動係合片を解放位置から制動位置へ変換すると、そのタイミングによっては、可動係合片の鉤状部がスプロケットの係止突起の先端部に衝当して跳ね返されることも予想される。このため、駆動制御装置の制動駆動時間を長くして、少なくとも次の係止突起が係合位置に到達するまでの間、駆動制御装置の駆動状態を維持することが望ましい。而して、かかる構成にあっては、最短時間で供出を開始することができるとともに、供出終了時には可動係合片を確実に制動位置に変換して供出を停止させることができる。
【手続補正６】
【補正対象書類名】明細書
【補正対象項目名】００１４
【補正方法】変更
【補正の内容】
【００１４】
ここでこの駆動制御装置としては、所定の遊技態様の成立を検出する入賞検出装置の検出に基づき、制動位置にある可動係合片を解放位置に変換する（請求項７）ものとすることができる。例えば、パチンコ遊技機において、入賞球が発生した場合に、これを入賞球検知スイッチ（入賞検出装置）により検知して、可動係合片を解放位置に変換することにより賞球を払い出す構成である。
【手続補正７】
【補正対象書類名】明細書
【補正対象項目名】００１５
【補正方法】変更
【補正の内容】
【００１５】
また、駆動制御装置が、遊技者による所定の操作を検出する遊技媒体貸出検出装置の検出に基づき、制動位置にある可動係合片を解放位置に変換する（請求項８）ものとすることができる。例えば、パチンコ遊技機において、各機台に付設されている球貸出装置に用いられる。
【手続補正８】
【補正対象書類名】明細書
【補正対象項目名】００１６
【補正方法】変更
【補正の内容】
【００１６】
ここで、駆動制御装置が、停電等の電源供給異常状態となった場合に、解放位置にある可動係合片を制動位置に変換する（請求項９）ようにしてもよい。即ち、従来の遊技媒体供出装置においては、その供出中、常に電気的駆動制御装置の作用によって駆動状態にあり、停電等の電源供給異常状態となった場合には、その駆動を直ちに停止することとなるが、本発明にあっては、その供出中、電気的駆動制御装置は駆動状態にないため、停電等の不測の事態に陥った場合には、供出状態を維持することとなり、その供出が過度に行なわれる。そこでこれを防止するため、電源供給異常状態となった時には、解放位置にある可動係合片を制動位置に変換する。この場合に、予備電源によって駆動制御装置を駆動して、解放位置にある可動係合片を制動位置に変換する（請求項１０）ようにしてもよい。
【手続補正９】
【補正対象書類名】明細書
【補正対象項目名】００１７
【補正方法】変更
【補正の内容】
【００１７】
さらには、駆動制御装置が、スプロケットの回転可能状態に伴って供出される遊技媒体を検出する供出検知装置により、所定個数の供出検知に基づき、解放位置にある可動係合片を制動位置に変換するようにした構成（請求項１１）が提案される。この構成は、所定個数の遊技媒体を確実に供出し得るものである。
【手続補正１０】
【補正対象書類名】明細書
【補正対象項目名】００１８
【補正方法】変更
【補正の内容】
【００１８】
さらにまた、組み付け板に、流下通路の一部と、供出検知装置と共に一体的に組み付けられている構成（請求項１２）が提案される。これにより、各部材がユニット化し、その組み付けが容易となる。